(57)【特許請求の範囲】
【請求項１】
ゲルベル法による乳脂肪分計測におけるゲルベル管の試料を振動混合する振動混合装置であって，回転板と，該回転板の正面側に配置してゲルベル管をそれぞれ保持することによって複数のゲルベル管を正背面方向に並列支持自在のゲルベル管ホルダーと，上記回転板の背面に位置して該回転板を正逆回転することによってゲルベル管を回転振動自在とするステッピングモーターとを備えるとともに該ステッピングモーターを，電動スライダー，電動シリンダー等の電動上下動手段により上下動することによって，上記ゲルベル管を回転振動と同時又は単独に上下振動自在としてなることを特徴とするゲルベル管振動混合装置。
【請求項２】
上記ステッピングモーターによる回転板の正逆回転を，複数の異なる回転角度の組合せによって行ってなることを特徴とする請求項１に記載のゲルベル管振動混合装置。
【請求項３】
上記回転板を，開閉扉付きの収納ケース内に配置してなることを特徴とする請求項１又は２に記載のゲルベル管振動混合装置。
【請求項４】
上記ゲルベル管ホルダーによるゲルベル管の保持を，ゲルベル管の胴部を回転板の外周側に，目盛部を中心側に位置するようにその長手方向複数個所で行ってなることを特徴とする請求項１，２又は３に記載のゲルベル管振動混合装置。
【請求項５】
上記回転板に対するゲルベル管ホルダーの配置を，該回転板の回転中心を通過する中心線の片側半径部分の線上に位置して行ってなることを特徴とする請求項１，２，３又は４に記載のゲルベル管振動混合装置。
【発明の詳細な説明】
【技術分野】
【０００１】
本発明は，牛乳等の乳脂肪分計測に際してゲルベル管の試料を振動混合するに使用するゲルベル管振動混合装置に関する。
【背景技術】
【０００２】
乳及び乳製品の成分規格等に関する省令によって，牛乳等はその乳脂肪分を，所謂ゲルベル法によって計測するものとされ，該ゲルベル法は，ゲルベル管（ゲルベル乳脂計といってもよい）に硫酸１０ｍｌを注入し，次に乳１１ｍｌを徐々に硫酸上に積層し，更に純アミルアルコール１ｍｌを加えてゴム栓をして該ゲルベル管を手振りして乳を硫酸に溶解した後に，６５℃の温湯中に１５分間浸し，次いで７００ｒｐｍの遠心分離機に３〜５分間掛け，更に６５℃の温湯中に浸して温度を一定にしてゲルベル管の目盛に示される脂肪層の度数を乳１００分の乳脂肪量とするものとされており，該ゲルベル法に用いる上記ゲルベル管として，例えば図９に示されるものが市販されており，乳業メーカー等において牛乳等の乳脂肪分計測に使用されている。
【０００３】
【非特許文献１】乳及び乳製品の成分規格等に関する省令
【発明の開示】
【発明が解決しようとする課題】
【０００４】
上記省令によると硫酸，乳等の試料を入れたゲルベル管は，これを手振りして硫酸に乳を溶解するものとされるところ，乳脂肪分を計測する乳業メーカー等の社内規格によって，その手振りの具体的な回転角度や回数を定めることによって，乳の充分な溶解とこれによる正確な計測を行うものとされるが，手振りには相当程度の熟練を要し，熟練者以外の計測者が手振りを行うと，性別，腕力等の個体差が生じて，硫酸と試料の混合不良やこれによる目盛の読取り誤差といった測定結果のバラツキを招くことがある。該ゲルベル法による測定結果は，例えばミルコスキャンによって牛乳等製品の乳成分の校正に使用されるため，そのバラツキはミルコスキャンの精度に直接に影響して，乳成分の校正を誤り，牛乳等製品量産のトラブル要因をなすに至る。またゲルベル管を手振りするために，手が滑り，ゲルベル管が飛んで破損したり，手の握りでゲルベル管が破損して，硫酸と乳の混合物が飛散するといった危険もある。
【０００５】
本発明はかかる事情に鑑みてなされたもので，その解決課題とするところは，可及的簡易な構造にして，ゲルベル管を確実に保持してこれに振動混合動作を付与し得るとともに使い勝手がよく，可及的に乳脂肪分の正確な測定結果を得られ，ゲルベル法測定結果のバラツキによるトラブルを可及的に解消し得るようにしたゲルベル管振動混合装置を提供するにある。
【課題を解決するための手段】
【０００６】
上記課題に沿って本発明は，ゲルベル管ホルダーによって複数のゲルベル管をその長手方向複数箇所で確実に保持して回転板に並列支持し，該回転板をステッピングモーターで正逆回転と上下振動することによってゲルベル管の試料に対して熟練者による手振りと同様な振動混合動作を付与して，ゲルベル管に付与する振動混合の動作を，熟練者による振動混合と同様に，更に乳脂肪分の測定に有効且つ適切に行ってゲルベル法測定結果のバラツキによりトラブルを可及的に解消するとともにゲルベル管の回転板への装着を該回転板に配置したゲルベル管ホルダーに対して行うことにより，可及的簡易な構造にしてその使い勝手を良好に確保するようにしたものであって，即ち請求項１に記載の発明を，ゲルベル法による乳脂肪分計測におけるゲルベル管の試料を振動混合する振動混合装置であって，回転板と，該回転板の正面側に配置してゲルベル管をそれぞれ保持することによって複数のゲルベル管を正背面方向に並列支持自在のゲルベル管ホルダーと，上記回転板の背面に位置して該回転板を正逆回転することによってゲルベル管を回転振動自在とするステッピングモーターとを備えるとともに該ステッピングモーターを，電動スライダー，電動シリンダー等の電動上下動手段により上下動することによって，上記ゲルベル管を回転振動と同時又は単独に上下振動自在としてなることを特徴とするゲルベル管振動混合装置としたものである。
【０００７】
請求項２に記載の発明は，上記に加えて，ゲルベル管の正逆回転を，複数の異なる角度で行うことによって，ゲルベル管に付与する振動混合の動作を更に有効且つ適切とするように，これを，上記ステッピングモーターによる回転板の正逆回転を，複数の異なる回転角度の組合せによって行ってなることを特徴とする請求項１に記載のゲルベル管振動混合装置としたものである。
【０００８】
請求項３に記載の発明は，同じく上記に加えて，ゲルベル管ホルダーからゲルベル管が外れるようなトラブルが生じても，ゲルベル管が破損し，室内に硫酸と乳の混合物が飛散するような危険を解消し得るように，これを，上記回転板を，開閉扉付きの収納ケース内に配置してなることを特徴とする請求項１又は２に記載のゲルベル管振動混合装置としたものである。
【０００９】
請求項４に記載の発明は，同じく上記に加えて，上記ゲルベル管の試料を収容した胴部に対して回転板回転の遠心力を直接に作用させることによって，ゲルベル管の試料の振動混合を有効且つ確実になし得るものとするように，これを，  上記ゲルベル管ホルダーによるゲルベル管の保持を，ゲルベル管の胴部を回転板の外周側に，目盛部を中心側に位置するようにその長手方向複数個所で行ってなることを特徴とする請求項１，２又は３に記載のゲルベル管振動混合装置としたものである。
【００１０】
請求項５に記載の発明は，同じく上記に加えて，ゲルベル管に対して回転板による回転の遠心力を更に有効に作用させることによって，ゲルベル管の試料の振動混合を効果的になし得るものとするように，これを，上記回転板に対するゲルベル管ホルダーの配置を，該回転板の回転中心を通過する中心線の片側半径部分の線上に位置して行ってなることを特徴とする請求項１，２，３又は４に記載のゲルベル管振動混合装置としたものである。
【００１１】
本発明は，これらをそれぞれ発明の要旨として上記課題解決の手段としたものである。
【発明の効果】
【００１２】
本発明は以上のとおりに構成したから，請求項１に記載の発明は，ゲルベル管ホルダーによって複数のゲルベル管をその長手方向複数箇所で確実に保持して回転板に並列支持し，該回転板をステッピングモーターで正逆回転と上下振動することによってゲルベル管の試料に対して熟練者による手振りと同様な振動混合動作を付与して，ゲルベル管に付与する振動混合の動作を，熟練者による振動混合と同様に，更に乳脂肪分の測定に有効且つ適切に行ってゲルベル法測定結果のバラツキによりトラブルを可及的に解消するとともにゲルベル管の回転板への装着を該回転板に配置したゲルベル管ホルダーに対して行うことにより，可及的簡易な構造にしてその使い勝手を良好に確保するようにしたゲルベル管振動混合装置を提供することができる。
【００１３】
請求項２に記載の発明は，上記に加えて，ゲルベル管の正逆回転を，複数の異なる角度で行うことによって，ゲルベル管に付与する振動混合の動作を，乳脂肪分の測定により有効且つ適切とするものとすることができる。
【００１４】
請求項３に記載の発明は，同じく上記に加えて，ゲルベル管ホルダーからゲルベル管が外れるようなトラブルが生じても，ゲルベル管が破損し，室内に硫酸と乳の混合物が飛散するような危険を解消するものとすることができる。
【００１５】
請求項４に記載の発明は，同じく上記に加えて，上記ゲルベル管の試料を収容した胴部に対して回転板回転の遠心力を直接に作用させることによって，ゲルベル管の試料の振動混合を有効且つ確実になし得るものとすることができる。
【００１６】
請求項５に記載の発明は，同じく上記に加えて，ゲルベル管に対して回転板による回転の遠心力を更に有効に作用させることによって，ゲルベル管の試料の振動混合を効果的になし得るものとすることができる。
【発明を実施するための最良の形態】
【００１７】
以下図面の例に従って本発明を更に具体的に説明すれば，Ａは，ゲルベル法による乳脂肪分計測におけるゲルベル管６の試料を振動混合するゲルベル管振動混合装置であり，該振動混合装置Ａは，回転板４と，該回転板４の正面側に配置してゲルベル管６をそれぞれ保持することによって複数のゲルベル管６を正背面方向に並列支持自在のゲルベル管ホルダー５と，上記回転板４の背面に位置して該回転板４を正逆回転することによってゲルベル管６を回転振動自在とするステッピングモーター３とを備えたものとしてあり，このとき，該ステッピングモーター３は，これを，電動スライダー２，電動シリンダー等の電動上下動手段により上下動することによって，上記ゲルベル管６を回転振動と同時又は単独に上下振動自在としたものとしてあり，また上記回転板４は，これを，開閉扉１３付きの収納ケース１内に配置したものとしてある。
【００１８】
本例にあって収納ケース１は，枠組フレーム１１と，該枠組フレーム１１の一面，本例にあっては正面に，その一側のフレームにヒンジ連結した開閉扉１３を，その余の上面乃至側面に嵌殺パネルを配置して，開閉自在に構成したボックス状のものとしてあり，このとき本例の収納ケース１は，その下位に単一乃至複数の同様に開閉扉と嵌殺パネルを配置した棚又はこれを省略し開放した棚，本例にあっては開放した棚１４を備えた，例えば高さを１．５ｍ，幅及び奥行を６０ｃｍ程度とした床乃至机に据え置き用のものとしてある。本例にあって上記枠組フレーム１１は，金属や合成樹脂の枠材，例えばステンレス材を枠組みして形成したステンレス製のものとしてあり，このとき該枠組フレーム１１は，該枠組フレーム１１の背面に位置する縦枠材間に上下一対の中間枠材１２を架設し，これを上記電動上下動手段の支持枠としてある。嵌殺パネルは，例えばガラス乃至樹脂製のものとするとともにその一部乃至全部に，収納ケースの内部を透視し得るように，透明乃至半透明のものとしてある。
【００１９】
本例にあって該収納ケース１には，上記回転板４とともに，更にステッピングモーター３及び電動上下動手段２を，その内部に収納するように，これらを収納配置してあり，これによってステッピングモーター３乃至電動上下動手段が収納ケース１の背面に突出するのを防止してある。
【００２０】
本例にあっては，電動上下動手段は，例えば電動スライダー２とし，該電動スライダー２の固定基板２１を，上記収納ケース１背面上下一対の中間枠材１２に，それぞれ左右のブラケット２４を介して，上下左右の４カ所で固定し，該固定基板２１の左右両側に配置したスライドガイド２２にスライドするスライドプレート２３に，上記ステッピングモーター３の基部をボルト等の固定具によって固定し，該スライドプレート２３の上下スライド動作によって，該ステッピングモーター３を上下動するようにしてある。
【００２１】
ステッピングモーター３の回転軸には上記回転板４を，同じくボルト等の固定具によって固定してあり，該ステッピングモーター３の正逆方向の駆動によって，該回転板４を上記正逆回転するようにしてある。
【００２２】
回転板４は，金属，樹脂，木材等の適宜材料によって，例えば正面円形の厚肉円盤状のものとしてあり，該厚肉円盤状の回転板４に，その正面に向けて突出するように，その正面方向，即ち長手方向に複数，本例にあっては，例えば４本のゲルベル管６を保持するゲルベル管ホルダー５をボルトや溶着等の固定手段によって固定してあり，このとき本例の該ゲルベル管ホルダー５によるゲルベル管６の保持は，これを，ゲルベル管６の胴部６１を回転板４の外周側に，目盛部６２を中心側に位置するように，これを行ってあり，また該回転板４に対するゲルベル管ホルダー５の配置は，これを，該回転板４の回転中心を通過する中心線の片側半径部分の線上に位置して行ったものとしてある。
【００２３】
本例のゲルベル管ホルダー５は，回転板静止状態で，その中心線の上部に，ゲルベル管６保持状態でゲルベル管６における目盛部６２下端の矢尻部が回転板の中心に位置するように，回転板４への配置を行ってあり，本例にあってゲルベル管ホルダー５は，ゲルベル管６を受入れるブロック状のホルダー本体５１と，ゲルベル管６を固定するカバープレート５２を備えたものとしてあり，ホルダー本体５１は，ゲルベル管６の胴部６１を嵌合保持する中間深さまでの太径孔とゲルベル管６の目盛部６２を下方に垂下するように挿通する先端の細径孔とによる，ゲルベル管６の保持数に合せた数の受孔，本例にあっては４箇所の受孔を背面側から正面側に向けて透設して並列配置した，合成樹脂乃至金属のブロック状のものとしてある。またカバープレート５２は，ホルダー本体５１の受孔に嵌合配置した上記４本のゲルベル管６の開口を閉塞するゴム栓６３を受入れる下向き凹部と，該ゴム栓６３をその上方から押圧するボルト５５を螺装する螺孔とを備えて，その長手方向一端を，回転板４又はホルダー本体５１にヒンジによって回動自在に軸支固定する一方，長手方向他端の自由端をホルダー本体５１に対して，例えばボルトやファスナー金具等の固定具５４によって着脱自在に固定することによって，ホルダー本体５１に開閉自在とした，同じく合成樹脂乃至金属の厚肉プレート状のものとしてある。従ってホルダー本体５１にゲルベル管６を嵌合保持し，カバープレート５２を回動して，その螺孔に螺装したボルト５５を回転して締着することによってゲルベル管６のゴム栓６３を該ボルト５５によって押圧固定して，ゲルベル管ホルダー５に対してゲルベル管６を，上記ゲルベル管６の胴部６１を回転板４の外周側に，目盛部６２を中心側に位置した状態に，その揺動や脱落を防止しつつ安定且つ確実に並列保持するものとしてある。
【００２４】
本例のステッピングモーター３は，スイッチ７操作によるＯＮの制御装置７１への信号入力によって，予めプログラムされたパルス信号によって正逆回転の制御を行うようにするとともにＯＦＦの信号入力によってその減速停止を行うようにしてある。このとき制御装置７１によるステッピングモーター３に対する回転制御のプログラムは，例えば回転角度を１／２円，１／４円，１／８円，１／１６円等のうちから選択した複数の正逆回転を順次行うように設定してあり，該ステッピングモーター３の正逆回転は，１／４円を数回，１／２円を１〜２回，１／８円を１０〜数十回といったように，その回転角度と回数の適宜の組合せによるものとしてあり，このように正逆回転を組み合せることによって，上記ゲルベル管ホルダー５に保持したゲルベル管６に対する振動混合動作を有効且つ確実に付与するようにしてある。
【００２５】
一方，該ステッピングモーター３をスライドプレート２３に固定した電動スライダー２は，上記プログラムされたパルス信号によって，そのスライドプレート２３を，例えば１０ｃｍ程度の上下ストローク幅で上下動を数十回に亘って，例えば５〜１０回／秒の如き高速で繰り返すようにしてあり，これによってスライドプレート２３に固定したステッピングモーター３及びこれに固定した回転板４を，高速上下動して，回転板４のゲルベル管ホルダー５に保持したゲルベル管６に上下振動動作を付与するようにしてある。スライドプレート２３の上下動は，例えばステッピングモーター３の回転時にこれと同時に又はステッピングモーター３の停止時に該ステッピングモーター３の回転とは別の単独に，これを行うことができるが，本例にあっては，ステッピングモーター３の回転と同時に上下動するようにプログラムしてある。
【００２６】
このように形成した振動混合装置Ａは，収納ケース１の開閉扉１３を開けて，予め乳及び乳製品の成分規格等に関する省令で定められた量の硫酸，乳，純アミルアルコールを試料として収容し且つ胴部の開口にゴム栓６３をした複数，本例にあっては４本のゲルベル管６をゲルベル管ホルダー５に並列保持した後に開閉扉を閉め，スイッチ７の操作で制御装置７１に信号を入力することによって，そのプログラムに従ったステッピングモーター３による回転板４の正逆回転及び電動スライダー２による回転板の上下動を行って，そのゲルベル管ホルダー５に保持したゲルベル管６に回転振動と上下振動による振動混合の動作を付与するように使用するものとしてあり，これによって，プログラムに従ったステッピングモーター３による回転板４の正逆回転及び上下動によって，ゲルベル管６の試料は，熟練者による手振りによる場合と同等な硫酸に対する乳の溶解を得ることができ，従って上記のように可及的簡易な構造にして使い勝手がよいゲルベル管振動混合装置Ａを用いることによって，常に乳脂肪分の正確な測定結果を得られ，ゲルベル法測定結果のバラツキによるトラブルを解消することが可能になる。またゲルベル管６は，ゲルベル管ホルダー５のホルダー本体５１に保持してカバープレート５２によって安定且つ確実に並列保持することによって，回転振動，上下振動に際して，ゲルベル管６が揺動したり，外れたりする可能性を可及的に解消して，振動混合時のトラブル発生を防止でき，また該ゲルベル管６を保持したゲルベル管ホルダー５は，これを固定した回転板４とともに収納ケース１内に収納したから，ゲルベル管ホルダー５からゲルベル管６が外れるような，万一のトラブルが生じたとしても，室内にゲルベル管６の破損による硫酸と乳の混合物が飛散したり，これによって作業者に危険を生じたりすることも確実に防止できる。
【００２７】
図中１５は高さ調整用のアジャスター，１６は枠組みフレームの補強用コーナーブロックをそれぞれ示す。
【００２８】
図示した例は以上のとおりとしたが，電動上下動装置を電動シリンダーを用いたものとすること，回転板を円盤状以外の，例えば矩形形状のものとすること，ステッピングモーター及び／又はこれを固定した電動上下動手段を収納ケースの外側に配置すること等を含めて，ゲルベル管，回転板，ゲルベル管ホルダー，ステッピングモーター，必要に応じて用いる電動上下動手段，収納ケース，その開閉扉等の具体的形状，構造，材質，これらの関係，これらに対する付加等は，上記発明の要旨に反しない限り様々な形態のものとすることができる。
【図面の簡単な説明】
【００２９】
【図１】振動混合装置の斜視図である。
【図２】振動混合装置の平面図である。
【図３】振動混合装置の側面図である。
【図４】振動混合装置の正面図である。
【図５】回転板の停止状態を示す斜視図である。
【図６】回転板の１／４円の正逆回転動作を示す斜視図である。
【図７】回転板の１／２円の正逆回転動作を示す斜視図である。
【図８】回転板の１／８円の正逆回転動作を示す斜視図である。
【図９】ゲルベル管の正面図である。
【符号の説明】
【００３０】
Ａ    振動混合装置
１    収納ケース
１１  枠組フレーム
１２  中間枠材
１３  開閉扉
１４  棚
１５  アジャスター
１６  コーナーブロック
２    電動スライダー
２１  固定基板
２２  スライドガイド
２３  スライドプレート
２４  ブラケット
３    ステッピングモーター
４    回転板
５    ゲルベル管ホルダー
５１  ホルダー本体
５２  カバープレート
５３  ヒンジ
５４  固定具
５５  ボルト
６    ゲルベル管
６１  胴部
６２  目盛部
６３  ゴム栓
７    スイッチ
７１  制御装置
【図１】
0004990697.tif 000002
【図２】
0004990697.tif 000003
【図３】
0004990697.tif 000004
【図４】
0004990697.tif 000005
【図５】
0004990697.tif 000006
【図６】
0004990697.tif 000007
【図７】
0004990697.tif 000008
【図８】
0004990697.tif 000009
【図９】
0004990697.tif 000010